(57)【要約】      （修正有）【課題】反発性能を高め、飛距離を伸ばすことができる、ゴルフクラブヘッドを提供する。【解決手段】ゴルフクラブヘッドにおいて、シャフトの中心軸を含み、設置面に垂直な平面と、ソール部の表面と、の交線である基準ソール交線を規定し、基準ソール交線上で、フェースセンター、フェースセンターからトゥ側に２５ｍｍの位置、及びフェースセンターからヒール側に２５ｍｍの位置に、それぞれ対応する３点を通過する円弧の曲率半径が、５．０〜６．０インチであり、基準状態にあるゴルフクラブヘッドのバック側の端部の設置面からの高さＴと、基準状態にあるゴルフクラブヘッドの設置面からクラウン部の最上点までの高さＢとの関係が、Ｔ／Ｂ≦０．３を充足し、基準状態にあるゴルフクラブヘッドの設置面からホーゼル部の最上点までの高さ／長さの関係が、≦１．２５を充足する。【選択図】図５
2019017413.tif 000002
【特許請求の範囲】
【請求項１】
フェース部と、
クラウン部と、
ソール部と、
シャフトが挿入可能なホーゼル部と、
を備えたゴルフクラブヘッドであって、
基準状態にある前記ゴルフクラブヘッドにおいて、前記シャフトの中心軸を含み、設置面に垂直な平面と、前記ソール部の表面と、の交線である基準ソール交線を規定し、
前記基準ソール交線上で、フェースセンター、前記フェースセンターからトゥ側に２５ｍｍの位置，及び前記フェースセンターからヒール側に２５ｍｍの位置に、それぞれ対応する３点を通過する円弧の曲率半径が、５．０〜６．０インチであり、
前記基準状態にある前記ゴルフクラブヘッドのバック側の端部の前記設置面からの高さＴと、前記基準状態にある前記ゴルフクラブヘッドの前記設置面から前記クラウン部の最上点までの高さＢとの関係が、Ｔ／Ｂ≦０．３を充足し、
前記基準状態にある前記ゴルフクラブヘッドの前記設置面から前記ホーゼル部の最上点までの高さＮＥと、前記高さＢとの関係が、ＮＥ／Ｂ≦１．２５を充足する、ゴルフクラブヘッド。
【請求項２】
前記高さＴが、１３ｍｍ以下である、請求項１に記載のゴルフクラブヘッド。
【請求項３】
前記高さＢが、４０ｍｍ以下である、請求項１または２に記載のゴルフクラブヘッド。
【請求項４】
前記高さＮＥが、４４ｍｍ以下である、請求項１から３のいずれかに記載のゴルフクラブヘッド。
【請求項５】
前記フェース部のスイートスポットの前記設置面からの高さＳＨは、２４．５ｍｍ以下である、請求項１から４のいずれかに記載のゴルフクラブヘッド。
【請求項６】
前記基準状態にある前記ゴルフクラブヘッドの重心の前記設置面からの高さＧＨが、１７ｍｍ以下である、請求項１から５のいずれかに記載のゴルフクラブヘッド。
【請求項７】
前記基準状態にある前記ゴルフクラブヘッドのフェース側の端部と、前記重心とのフェース−バック方向の長さＸが、２８ｍｍ以上である、請求項１から６のいずれかに記載のゴルフクラブヘッド。
【請求項８】
前記クラウン部のバック側の部位を構成するバック側クラウン部と、前記ソール部のバック側の部位を構成するバック側ソール部とを有し、当該バック側クラウン部と前記バック側ソール部で囲まれた開口を有する、ヘッド本体と、
前記フェース部と、前記フェース部の周縁から延びる周縁部と、を有するカップ状に形成されたフェース用部材と、
を備え、
前記周縁部が、前記クラウン部のフェース側の部位及び前記ソール部のフェース側の部位を構成し、前記フェース用部材が、前記ヘッド本体の開口を塞ぐように構成されている、請求項１から７のいずれかに記載のゴルフクラブヘッド。
【請求項９】
フェアウェイウッドまたはハイブリッド型である、請求項１から８のいずれかに記載のゴルフクラブヘッド。
【発明の詳細な説明】
【技術分野】
【０００１】
本発明は、ゴルフクラブヘッドに関する。
【０００２】
ウッド型のゴルフクラブのヘッドは、従来から、多くの改良がなされてきており、例えば、特許文献１に開示されたゴルフクラブヘッドでは、クラウン部に肉厚の小さい複数の領域を形成し、これによってクラウン部の軽量化を図り、低重心化を実現している。
【先行技術文献】
【特許文献】
【０００３】
【特許文献１】特開２００５−３１２９４２号公報
【発明の概要】
【発明が解決しようとする課題】
【０００４】
しかしながら、低重心化による飛距離の向上には改良の余地があり、さらに飛距離を伸ばすことが要望されている。本発明は、上記問題を解決するためになされたものであり、さらに飛距離を伸ばすことができる、ゴルフクラブヘッドを提供することを目的とする。
【課題を解決するための手段】
【０００５】
本発明に係るゴルフクラブヘッドは、フェース部と、クラウン部と、ソール部と、シャフトが挿入可能なホーゼル部と、を備えたゴルフクラブヘッドであって、基準状態にある前記ゴルフクラブヘッドにおいて、前記シャフトの中心軸を含み、設置面に垂直な平面と、前記ソール部の表面と、の交線である基準ソール交線を規定し、前記基準ソール交線上で、フェースセンター、前記フェースセンターからトゥ側に２５ｍｍの位置，及び前記フェースセンターからヒール側に２５ｍｍの位置に、それぞれ対応する３点を通過する円弧の曲率半径が、５．０〜６．０インチであり、前記基準状態にある前記ゴルフクラブヘッドのバック側の端部の前記設置面からの高さＴと、前記基準状態にある前記ゴルフクラブヘッドの前記設置面から前記クラウン部の最上点までの高さＢとの関係が、Ｔ／Ｂ≦０．３を充足し、前記基準状態にある前記ゴルフクラブヘッドの前記設置面から前記ホーゼル部の最上点までの高さＮＥと、前記長さＢとの関係が、ＮＥ／Ｂ≦１．２５を充足する。
【０００６】
上記ゴルフクラブヘッドにおいては、前記高さＴを、１３ｍｍ以下とすることができる。
【０００７】
上記各ゴルフクラブヘッドにおいては、前記高さＢを、４０ｍｍ以下とすることができる。
【０００８】
上記各ゴルフクラブヘッドにおいては、前記高さＮＥを、４４ｍｍ以下とすることができる。
【０００９】
上記各ゴルフクラブヘッドにおいては、前記フェース部のスイートスポットの前記設置面からの高さＳＨを、２４．５ｍｍ以下とすることができる。
【００１０】
上記各ゴルフクラブヘッドにおいては、前記基準状態にある前記ゴルフクラブヘッドの重心の前記設置面からの高さＧＨを、１７ｍｍ以下とすることができる。
【００１１】
上記各ゴルフクラブヘッドにおいては、前記基準状態にある前記ゴルフクラブヘッドのフェース側の端部と、前記重心とのフェース−バック方向の長さＸを、２８ｍｍ以上とすることができる。
【００１２】
上記ゴルフクラブヘッドにおいては、前記クラウン部のバック側の部位を構成するバック側クラウン部と、前記ソール部のバック側の部位を構成するバック側ソール部とを有し、当該バック側クラウン部と前記バック側ソール部で囲まれた開口を有する、ヘッド本体と、前記フェース部と、前記フェース部の周縁から延びる周縁部と、を有するカップ状に形成されたフェース用部材と、を備え、前記周縁部が、前記クラウン部のフェース側の部位及び前記ソール部のフェース側の部位を構成し、前記フェース用部材が、前記ヘッド本体の開口を塞ぐように構成されているものとすることができる。
【００１３】
上記各ゴルフクラブヘッドは、フェアウェイウッドまたはハイブリッド型とすることができる。
【発明の効果】
【００１４】
本発明に係るゴルフクラブヘッドによれば、さらに飛距離を伸ばすことができる。
【図面の簡単な説明】
【００１５】
【図１】本発明の一実施形態に係るゴルフクラブヘッドの基準状態の斜視図である。
【図２】図１の平面図である。
【図３】図２のＡ−Ａ線断面図である。
【図４Ａ】フェース部の境界を説明する図である。
【図４Ｂ】フェース部の境界を説明する図である。
【図５】図１のヘッドの側面図である。
【図６】図５のＢ−Ｂ線断面図である。
【図７】図１のヘッドの正面図である。
【発明を実施するための形態】
【００１６】
以下、本発明に係るゴルフクラブヘッドの一実施形態について、図面を参照しつつ説明する。
【００１７】
＜１．ゴルフクラブヘッドの概要＞
図１は、このゴルフクラブヘッドの斜視図、図２は、ヘッドの基準状態での平面図、図３は、図２のＡ−Ａ線断面図である。図１〜図３に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたウッド型のゴルフクラブヘッドである。具体的には、ハイブリッド型、フェアウェイウッド、ドライバーといったゴルフクラブヘッドに適用することができる。
【００１８】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１９】
ここで、ゴルフクラブヘッド１００を地面に設置するときの基準状態について説明する。まず、図２に示すように、上記中心軸線Ｚが地面に対して垂直な平面Ｐ１に含まれ、且つ所定のライ角及びリアルロフト角で地面（水平面）上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００２０】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２１】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２２】
図３は、フェースセンターＣを通るフェース−バック方向の断面である。フェースセンターＣとは、ボールが打撃されやすいフェース部１の中心付近の点であり、以下のように定義することができる。まず、フェース部１（フェース面）上において、トゥ−ヒール方向および上下方向の概ね中央付近で任意の点Ｐｏを決定する。この点Ｐｏを通りトゥ−ヒール方向に延びる線ｘを引き、この線ｘの中点Ｐｘを決定する。続いて、フェース部１上において、点Ｐｘを通り上下方向に延びる線ｙを引き、この線の中点Ｐｙを決定する。そして、こうして決定された点Ｐｙを通りトゥ−ヒール方向に延びる線を線ｘとして引き直し、その後上記と同様にして点Ｐｙを決定し直す工程を繰り返す。この工程の繰り返しの中で、前回の点Ｐｙと新たな点Ｐｙとの間の距離が０．５ｍｍ以下となったときの当該新たな点Ｐｙが、フェースセンターＣと定義される。なお、より詳細には、上記の点Ｐｏを通る線ｘは、この点Ｐｏを通るフェース面の法線を含みかつトゥ−ヒール方向に平行な平面と、フェース面（フェース部１の表面）との交線である。また、より詳細には、上記の点Ｐｘを通る線ｙは、この点Ｐｘを通るフェース面の法線を含みかつ上下方向に平行な平面と、フェース面との交線である。また、より詳細には、上記の点Ｐｙを通る線ｘは、この点Ｐｙを通るフェース面の法線を含みかつトゥ−ヒール方向に平行な平面と、フェース面との交線である。なお、上記線ｘおよび線ｙの長さの測定は、フェース面に沿って測定される。
【００２３】
また、ヘッド１００は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２４】
また、このゴルフクラブヘッド１００の体積は、例えば、９０ｃｍ3以上、４７０ｃｍ3以下が望ましい。また、フェアウェイウッドまたはハイブリッド型に適用されるゴルフクラブヘッドの体積は、９０〜２３０ｃｍ3とすることができる。
【００２５】
＜２．ゴルフクラブヘッドの組立構造＞
本実施形態に係るゴルフクラブヘッド１００は、図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２のバック側の部位（バック側クラウン部）及びソール部３のバック側の部位（バック側ソール部）で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１００のクラウン部２及びソール部３の一部として機能する。
【００２６】
したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部（バック側クラウン部）２及びソール部（バック側ソール部部）３は、ヘッド１００のクラウン部２及びソール部３の一部ではあるが、本明細書では、これらを区別することなく、ヘッド本体１０１の各部も、単にクラウン部２、ソール部３と称することがある。
【００２７】
＜３．ヘッドの形状＞
次に、本実施形態に係るヘッド１００の形状について、図５〜図７を参照しつつ説明する。図５はヘッドの側面図、図６は図５のＢ−Ｂ線断面図、図７はヘッドの正面図である。まず、ソール部の表面形状について説明する。まず、図５〜図７に示すように、上述した平面Ｐ１と、ソール部３の表面との交線を基準ソール交線と規定する。そして、この基準ソール交線において、上記フェースセンターＣ、フェースセンターＣからトゥ側に２５ｍｍの点Ｆ１、及びフェースセンターＣからヒール側に２５ｍｍの点Ｆ２と対応する３点、つまり点Ｋ１，点Ｋ２，点及びＫ３を規定する。具体的には、フェースセンターＣ、点Ｆ１，及び点Ｆ２を通り、設置面Ｈから垂直にフェース−バック方向に延びる平面と、基準ソール交線との交点が、点Ｋ１，点Ｋ２，及び点Ｋ３となる。そして、これら点Ｋ１，点Ｋ２，点及びＫ３を通る円弧（以下、ソール部表面円弧Ｍという）を規定すると、このソール部表面円弧Ｍの曲率半径が５．０〜６．０インチ（１２７．０〜１５２．４ｍｍ）となるように、ソール部３の表面形状が決定されている。
【００２８】
次に、本実施形態に係るヘッド１００のヘッド高さとネック高さとの関係について説明する。図７に示すように、基準状態にあるヘッドにおいて、設置面Ｈからホーゼル部４を除くヘッドの最上点、つまりクラウン部２の最上点までの高さＢ（以下、ヘッド厚という）を規定する。また、基準状態にあるヘッドにおいて、設置面Ｈからホーゼル部４の最上点までの高さＮＥ（以下、ネック高さという）を規定する。そして、これらの関係が、ＮＥ／Ｂ≦１．２５を充足するように、ヘッドの形状が設計されている。
【００２９】
ここで、ヘッド厚Ｂは、例えば、４０ｍｍ以下であることが好ましく、３９ｍｍ以下であることがさらに好ましく、３８ｍｍ以下であることが特に好ましい。これにより、フェース部１の高さが小さくなり、フェースセンターＣの位置が低くなる。その結果、設置面Ｈに置かれたボールを打撃するとき、フェースセンターＣの近傍で、よりボールを打撃しやすくなり、飛距離を向上するこができる。また、ネック高さＮＥは、４４ｍｍ以下であることが好ましく、４２．５ｍｍ以下であることがさらに好ましく、４１ｍｍ以下であることが特に好ましい。これにより、ヘッドの低重心化を図ることができる。また、図７に示すネック長Ｎ１は、例えば、４０〜４６．５ｍｍとすることができる。ネック長Ｎ１は、ホーゼル部４の中心軸線Ｚ方向に沿う長さであり、中心軸線Ｚと設置面Ｈとの交点と、挿入孔４１の開口との距離である。
【００３０】
次に、本実施形態に係るヘッド１００のヘッド厚とヘッドの後端部の高さとの関係について説明する。図５に示すように、基準状態にあるヘッドにおいて、ヘッドのフェース−バック方向の端部、つまり最もバック側に位置する端部（以下、ヘッド後端点Ｒ）における設置面Ｈからの高さＴ（以下、ヘッド後端厚という）を規定する。そして、これらの関係が、Ｔ／Ｂ≦０．３を充足するように、ヘッドの形状が設計されている。
【００３１】
また、ヘッド後端厚Ｔは、例えば、１３ｍｍ以下であることが好ましく、１２ｍｍ以下であることがさらに好ましく、１１ｍｍ以下であることが特に好ましい。これにより、ヘッドの低重心化を図ることができる。
【００３２】
その他、基準状態にあるヘッドにおいて、設置面ＨからスイートスポットＳＳまでの高さＳＨが、２４．５ｍｍ以下であることが好ましく、２３．５ｍｍ以下であることがさらに好ましく、２２．５ｍｍ以下であることが特に好ましい。これにより、スイートスポットＳＳがフェースセンターＣに近づく。つまり、実打点付近に位置するフェースセンターＣが、スイートスポットＳＳに近づくため、打ち出し角度が大きく、且つスピン量が小さくなる。その結果、飛距離を伸ばすことができる。
【００３３】
また、設置面Ｈからヘッドの重心Ｇまでの高さ（以下、重心高さＧＨ）は、１７ｍｍ以下であることが好ましく、１６ｍｍ以下であることがさらに好ましく、１５ｍｍ以下であることが特に好ましい。
【００３４】
さらに、基準状態にあるヘッドの最もフェース側の点と、重心Ｇとの間のフェース−バック方向の長さ（以下、重心深度Ｘという）が、２８ｍｍ以上であることが好ましく、２９ｍｍ以上であることがさらに好ましく、３０ｍｍ以上であることが特に好ましい。これにより、打ち出し角度を大きくすることができる。
【００３５】
＜４．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、このとき用いるフェース用部材１０２の加工前の平板は、圧延方向が、フェース部１のトゥ側の上部からヒール側の下部に向かう方向とほぼ一致するように加工される。
【００３６】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３７】
＜５．特徴＞
以上の実施形態によれば、次の効果を得ることができる。
【００３８】
(1) ソール部表面円弧Ｍの曲率半径が、５．０〜６．０インチとなるようにソール部３の形状が設計されているため、次の効果を得ることができる。すなわち、曲率半径が６．０インチより大きいと、例えば、ティーアップせずにボールを打撃するとき、ヘッド１００と設置面Ｈとの接触部分が大きくなりすぎ、クラブを振り抜くときのソール部３と設置面Ｈとの摩擦抵抗が大きくなるおそれがある。その結果、インパクトでのスイング速度が低下するおそれがある。
【００３９】
一方、曲率半径が５．０インチ未満であると、基準ソール交線上の点Ｋ１に対し、点Ｋ２及び点Ｋ３の位置が上になりすぎ、低重心化が図れないおそれがある。また、フェース部１のトゥ側及びヒール側の上下方向の長さが小さくなるおそれもある。
【００４０】
よって、ソール部表面円弧Ｍの曲率半径を、５．０〜６．０インチとすることで、スイングしやすく、且つ低重心化を図ることができる。また、フェース部１のトゥ側及びヒール側の上下方向の長さを大きくできるため、フェース部１のトゥ側及びヒール側が撓みやすくなる。その結果、トゥ側及びヒール側に高反発エリアを拡大することができる。
【００４１】
(2) 基準状態にあるヘッド１００において、ヘッド厚Ｂとネック高さＮＥとの関係が、ＮＥ／Ｂ≦１．２５を充足するように、ヘッドの形状が設計されているため、ネック高さＮＥが低くなる。これによって、ヘッドをさらに低重心化することができる。
【００４２】
(3) 基準状態にあるヘッド１００において、ヘッド厚Ｂとヘッド後端厚Ｔとの関係が、Ｔ／Ｂ≦０．３を充足するように、ヘッドの形状が設計されているため、ヘッドの後端部分がより低くなる。これによって、ヘッドをさらに低重心化することができる。
【００４３】
＜６．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４４】
＜６−１＞
上述したソール部３の形状以外の形態は、特には限定されず、例えば、クラウン部２に種々の凹凸などを形成することができる。
【００４５】
＜６−２＞
上記実施形態に係るヘッドは、カップフェース構造を有しているが、その他の態様であってもよい。例えば、フェース部１及びソール部３を備え、クラウン部２用の開口が形成されたヘッド本体に対し、クラウン部を開口に嵌め込んでヘッドを構成することができる。また、カップフェース構造でなくてもよく、フェース部１に形成された開口に平板状のフェース用部材を嵌め込み、ヘッド本体に溶接することでヘッドを構成することもできる。
【実施例】
【００４６】
以下、本発明の実施例について説明する。但し、本発明は以下の実施例に限定されない。
【００４７】
（１）実施例及び比較例の準備
ここでは、ヘッド厚が３６．８ｍｍ、ネック高さが４０．３ｍｍ、ヘッド後端厚が９．２ｍｍ、ネック長が４３．０ｍｍの５種類のヘッドを有するフェアフェイウッド（ＦＷ＃５）を準備した。これら５種類のフェアウェイウッドは、以下の通り、上述したソール部表面円弧の曲率半径及び重心高さが主として相違する。
【表１】
2019017413.tif 000003
【００４８】
（２）評価試験
そして、これら５種類のフェアウェイウッドに対し、以下の試験を行った。
(2-1) 飛距離試験
ゴルフラボラトリー社のスイングマシンに、実施例１〜３、比較例１，２のクラブを装着した。そして、各ゴルフボールを２０球ずつ打撃し、打球が落下するまでの距離（キャリー）を測定し、平均を算出した。打撃の条件は、ヘッド速度４１ｍ／ｓｅｃであり、ほぼ無風の中で試験を行った。
【００４９】
(2-2) 振り抜き試験
実施例１〜３、比較例１，２のクラブについて、１０名のゴルファーに対し、ラフでボールを打ってもらい、クラブを振り抜く際の抵抗について、官能評価を行った。すなわち、以下の評価基準にしたがって点数を付け、１０名のゴルファーの平均点を算出した。
Ａ評価(４点)：振り抜くのに全く抵抗を感じない
Ｂ評価(３点)：振り抜くのにほぼ抵抗を感じない
Ｃ評価(２点)：振り抜くのに少し抵抗を感じた
Ｄ評価(１点)：振り向くのにかなり抵抗を感じた
【００５０】
以上の２つの試験の結果は、以下の通りである。
【表２】
2019017413.tif 000004
【００５１】
以上の結果からすると、実施例１〜３は、ソール部表面円弧の曲率半径が５〜６インチであり、重心が適度に低いため、比較例１よりも飛距離が伸びている。一方、比較例２は、重心が低いため、飛距離は伸びているが、ソール部表面円弧の曲率半径が大きいため、クラブの振り抜き時に抵抗を感じる傾向にある。したがって、実施例１〜３に係るゴルフクラブヘッドは、飛距離が伸び、しかも振り抜き時に大きい抵抗を感じないことが分かった。
【符号の説明】
【００５２】
１  フェース部
２  クラウン部
３  ソール部
４  ホーゼル部
【図１】
2019017413.tif 000005
【図２】
2019017413.tif 000006
【図３】
2019017413.tif 000007
【図４Ａ】
2019017413.tif 000008
【図４Ｂ】
2019017413.tif 000009
【図５】
2019017413.tif 000010
【図６】
2019017413.tif 000011
【図７】
2019017413.tif 000012
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
フェース部と、
クラウン部と、
ソール部と、
シャフトが挿入可能なホーゼル部と、
を備えたゴルフクラブヘッドであって、
基準状態にある前記ゴルフクラブヘッドにおいて、前記シャフトの中心軸を含み、設置面に垂直な平面と、前記ソール部の表面と、の交線である基準ソール交線を規定し、
前記基準ソール交線上で、フェースセンター、前記フェースセンターからトゥ側に２５ｍｍの位置，及び前記フェースセンターからヒール側に２５ｍｍの位置に、それぞれ対応する３点を通過する円弧の曲率半径が、５．０〜６．０インチ（１２７．０〜１５２．４ｍｍ）であり、
前記基準状態にある前記ゴルフクラブヘッドのバック側の端部の前記設置面からの高さＴと、前記基準状態にある前記ゴルフクラブヘッドの前記設置面から前記クラウン部の最上点までの高さＢとの関係が、Ｔ／Ｂ≦０．３を充足し、
前記基準状態にある前記ゴルフクラブヘッドの前記設置面から前記ホーゼル部の最上点までの高さＮＥと、前記高さＢとの関係が、ＮＥ／Ｂ≦１．２５を充足し、
前記高さＢが、４０ｍｍ以下である、ゴルフクラブヘッド。
【請求項２】
前記高さＴが、１３ｍｍ以下である、請求項１に記載のゴルフクラブヘッド。
【請求項３】
前記高さＮＥが、４４ｍｍ以下である、請求項１または２に記載のゴルフクラブヘッド。
【請求項４】
前記フェース部のスイートスポットの前記設置面からの高さＳＨは、２４．５ｍｍ以下である、請求項１から３のいずれかに記載のゴルフクラブヘッド。
【請求項５】
前記基準状態にある前記ゴルフクラブヘッドの重心の前記設置面からの高さＧＨが、１７ｍｍ以下である、請求項１から４のいずれかに記載のゴルフクラブヘッド。
【請求項６】
前記基準状態にある前記ゴルフクラブヘッドのフェース側の端部と、前記重心とのフェース−バック方向の長さＸが、２８ｍｍ以上である、請求項１から５のいずれかに記載のゴルフクラブヘッド。
【請求項７】
前記クラウン部のバック側の部位を構成するバック側クラウン部と、前記ソール部のバック側の部位を構成するバック側ソール部とを有し、当該バック側クラウン部と前記バック側ソール部で囲まれた開口を有する、ヘッド本体と、
前記フェース部と、前記フェース部の周縁から延びる周縁部と、を有するカップ状に形成されたフェース用部材と、
を備え、
前記周縁部が、前記クラウン部のフェース側の部位及び前記ソール部のフェース側の部位を構成し、前記フェース用部材が、前記ヘッド本体の開口を塞ぐように構成されている、請求項１から６のいずれかに記載のゴルフクラブヘッド。
【請求項８】
フェアウェイウッドまたはハイブリッド型である、請求項１から７のいずれかに記載のゴルフクラブヘッド。
【手続補正２】
【補正対象書類名】明細書
【補正対象項目名】００２９
【補正方法】変更
【補正の内容】
【００２９】
ここで、ヘッド厚Ｂは、例えば、４０ｍｍ以下であることが好ましく、３９ｍｍ以下であることがさらに好ましく、３８ｍｍ以下であることが特に好ましい。これにより、フェース部１の高さが小さくなり、フェースセンターＣの位置が低くなる。その結果、設置面Ｈに置かれたボールを打撃するとき、フェースセンターＣの近傍で、よりボールを打撃しやすくなり、飛距離を向上することができる。また、ネック高さＮＥは、４４ｍｍ以下であることが好ましく、４２．５ｍｍ以下であることがさらに好ましく、４１ｍｍ以下であることが特に好ましい。これにより、ヘッドの低重心化を図ることができる。また、図７に示すネック長Ｎ１は、例えば、４０〜４６．５ｍｍとすることができる。ネック長Ｎ１は、ホーゼル部４の中心軸線Ｚ方向に沿う長さであり、中心軸線Ｚと設置面Ｈとの交点と、挿入孔４１の開口との距離である。
【手続補正書】
【提出日】平成30年1月22日(2018.1.22)
【手続補正１】
【補正対象書類名】特許請求の範囲
【補正対象項目名】請求項６
【補正方法】変更
【補正の内容】
【請求項６】
前記基準状態にある前記ゴルフクラブヘッドのフェース側の端部と重心とのフェース−バック方向の長さＸが、２８ｍｍ以上である、請求項１から５のいずれかに記載のゴルフクラブヘッド。